(57)【特許請求の範囲】
【請求項１】
ハウジングにナットを取り付け、該ナットに螺合するねじによって分解及び組立を行う刈込機において、
前記ナットを保持する保持部が形成されたナットホルダを設け、該ナットホルダの前記保持部に前記ナットを保持した状態で該ナットホルダを前記ハウジングに挿入保持するようにしたことを特徴とする刈込機。
【請求項２】
前記ナットホルダに前記保持部を複数形成したことを特徴とする請求項１記載の刈込機。
【請求項３】
前記ナットホルダを弾性変形可能な材料で構成したことを特徴とする請求項１又は２記載の刈込機。
【請求項４】
前記ナットホルダの前記保持部以外の部分を前記ハウジングに挿入保持するようにしたことを特徴とする請求項１〜３の何れかに記載の刈込機。
【請求項５】
前記ハウジングに挿入保持されたナットホルダに別部材を当接させて該ナットホルダをハウジングに固定することを特徴とする請求項１〜４の何れかに記載の刈込機。
【請求項６】
前記ハウジングを左右２分割構造としたことを特徴とする請求項１〜５の何れかに記載の刈込機。
【発明の詳細な説明】
【技術分野】
【０００１】
本発明は、樹木の剪定、生垣の整形、芝の刈り込み等を行うための刈込機に関するものである。
【背景技術】
【０００２】
斯かる刈込機には、幅方向両端縁に沿って複数の切刃が形成された上ブレードと下ブレードを上下に重ね合わせ、モータの回転をクランクカムによって前記上ブレードと下ブレードの往復直線運動に変換し、これらの上ブレードと下ブレードを互いに逆方向に交互に往復運動させて所要の刈込作業を行うものがある（例えば、特許文献１，２参照）。
【０００３】
ここで、従来の刈込機におけるボトムカバーのハウジング底面への取付構造を図９〜図１２に基づいて説明する。
【０００４】
図９は従来の刈込機のハウジングの破断正面図、図１０は図９のＣ−Ｃ線断面図、図１１はハウジング底部へのナットの挿入要領を示すハウジングの破断正面図、図１２は同ハウジングの部分底面図である。
【０００５】
従来の刈込機１０１のハウジング１０２は、図９に示すように、左右２分割構造であって、その底面にはボトムカバー１１２が各４つのナット１１３とこれに螺合するねじ１１４によって着脱可能に取り付けられている。
【０００６】
ところで、ハウジング１０２の底部の左右には、図１２に示すように、２つのＵ字状の溝１１６が長手方向に離間して形成されており、各溝１１６の奥側（上側）には矩形溝状のナット室１１７がそれぞれ形成されている。そして、ハウジング１０２の各ナット室１１７には、前記ナット１１３が図１１及び図１２の矢印方向から挿入されて保持される。
【０００７】
上述のようにハウジング１０２のナット室１１７にナット１１３が挿入保持されると、図９及び図１０に示すように、ハウジング１０２の底面にボトムカバー１１２を被せ、該ボトムカバー１１２の四隅に形成された各凹部１１２ａに下方から挿通するねじ１１４を各ナット１１３にねじ込むことによってボトムカバー１１２をハウジング１０２の底面に取り付けることができる。
【特許文献１】特開２００２−３０５９６７号公報
【特許文献２】特開２００３−１３４９３５号公報
【発明の開示】
【発明が解決しようとする課題】
【０００８】
ところで、刈込機１０１においては、ブレードの交換等のメンテナンスに際してボトムカバー１１２をハウジング１０２から取り外し、メンテナンスが終了するとボトムカバー１１２がハウジング１０２に再び取り付けられるが、ねじ１１４を緩めて取り外すと、ハウジング１０２に保持されたナット１１３の押さえが無いために該ナット１１３がナット室１１７から脱落してしまい、ナット１１３が紛失したり、ボトムカバー１１２の組付性が悪化するという問題があった。
【０００９】
本発明は上記問題に鑑みてなされたもので、その目的とする処は、ナットの脱落を防いで組立性を高めるとともに、ナットを紛失する等の不具合の発生を防ぐことができる刈込機を提供することにある。
【課題を解決するための手段】
【００１０】
上記目的を達成するため、請求項１記載の発明は、ハウジングにナットを取り付け、該ナットに螺合するねじによって分解及び組立を行う刈込機において、前記ナットを保持する保持部が形成されたナットホルダを設け、該ナットホルダの前記保持部に前記ナットを保持した状態で該ナットホルダを前記ハウジングに挿入保持するようにしたことを特徴とする。
【００１１】
請求項２記載の発明は、請求項１記載の発明において、前記ナットホルダに前記保持部を複数形成したことを特徴とする。
【００１２】
請求項３記載の発明は、請求項１又は２記載の発明において、前記ナットホルダを弾性変形可能な材料で構成したことを特徴とする。
【００１３】
請求項４記載の発明は、請求項１〜３の何れかに記載の発明において、前記ナットホルダの前記保持部以外の部分を前記ハウジングに挿入保持するようにしたことを特徴とする。
【００１４】
請求項５記載の発明は、請求項１〜４の何れかに記載の発明において、前記ハウジングに挿入保持されたナットホルダに別部材を当接させて該ナットホルダをハウジングに固定することを特徴とする。
【００１５】
請求項６記載の発明は、請求項１〜５の何れかに記載の発明において、前記ハウジングを左右２分割構造としたことを特徴とする。
【発明の効果】
【００１６】
請求項１記載の発明によれば、ねじを取り外してもナットはナットホルダに保持されたままであるため、該ナットがハウジングから抜け落ちることがなく、刈込機の組立性が高められるとともに、ナットを紛失する等の不具合の発生を防ぐことができる。
【００１７】
請求項２記載の発明によれば、ナットホルダに保持部を複数形成して複数のナットをナットホルダによって保持するようにしたため、複数のナットをハウジングに挿入する手間を省くことができ、刈込機の組立性が更に高められる。
【００１８】
請求項３記載の発明によれば、ナットホルダを弾性変形可能な材料で構成したため、該ナットホルダの保持部の幅をナットの幅よりも小さくし、保持部を弾性変形させながらナットを保持部に嵌め込むことによって該ナットに予圧を与えることができ、ナットホルダにナットを強固に保持してその脱落を確実に防ぐことができる。
【００１９】
請求項４記載の発明によれば、ナットホルダの保持部以外の部分をハウジングに挿入保持するようにしたため、ねじの締付力の影響がナットホルダに及ばず、ナットホルダがハウジングに確実に保持され、該ナットホルダ及びこれに保持されたナットのハウジングからの脱落が確実に防がれる。
【００２０】
請求項５記載の発明によれば、ハウジングに挿入保持されたナットホルダに別部材を当接させて該ナットホルダをハウジングに固定するようにしたため、ナットホルダがハウジングに確実に保持され、該ナットホルダ及びこれに保持されたナットのハウジングからの脱落が確実に防がれる。
【００２１】
請求項６記載の発明によれば、ハウジングを左右２分割構造とすることによって刈込機の組立性を高めることができる。
【発明を実施するための最良の形態】
【００２２】
以下に本発明の実施の形態を添付図面に基づいて説明する。
【００２３】
図１は本発明に係る刈込機の破断側面図、図２は同刈込機のハウジング部の破断底面図、図３は同刈込機のハウジング部の破断正面図、図４は図３のＡ−Ａ線断面図、図５は図４のＢ−Ｂ線断面図、図６はナットを保持したナットホルダのハウジングへの組込要領を示す部分斜視図、図７はナットとナットホルダ及びクランクケースのハウジングへの組込方向を示す底面図、図８は同破断正面図である。
【００２４】
図１に示す刈込機１は、ハウジング２から水平に延びるブレードユニット３を備えており、ハウジング２の端部には充電可能なバッテリ４が着脱可能に装着されている。又、ハウジング２のハンドル部２ａにはトリガスイッチ５が設けられている。
【００２５】
前記ブレードユニット３は、幅方向両端縁に櫛刃状の複数の切刃が形成された上ブレード６と下ブレード７を上下に重ね合わせ、これらの上ブレード６と下ブレード７を水平に延びる上下のホルダプレート８とブレードホルダ９との間に往復動可能に介装して構成されている。
【００２６】
又、ハウジング２には駆動源である不図示のモータ、該モータによって回転駆動されるクランクカム１０等が内蔵されており、クランクカム１０はクランクケース１１内に収容されている。ここで、図示しないが、クランクカム１０には回転中心に対して偏心した上下２段の円板状の偏心カムが互いに１８０°の位相差をもって一体に形成されており、上段の偏心カムには前記上ブレード６の基端部が長孔係合し、下段の偏心カムには前記下ブレード７の基端部が長孔係合している。
【００２７】
ところで、図３に示すように、樹脂製の前記ハウジング２は左右に２分割された分割片２Ａ，２Ｂを接合一体化して構成されており、その底面には矩形プレート状のボトムカバー１２が各４つのナット１３とこれに螺合するねじ１４によって取り付けられている。
【００２８】
ここで、ハウジング２の左右両端部には、図６に示すように、前後方向に延びるフランジ１５が形成されており、各フランジ１５の前後端部にはＵ字状の溝１６が形成され、各溝１６の奥側（上側）には矩形溝状のナット室１７がそれぞれ形成されている。又、各フランジ１５は、前後方向に適当な間隔で設けられた複数の縦リブ１８によって補強されており、各縦リブ１８には水平なスリット状の嵌合溝１８ａが形成されている。
【００２９】
ところで、本実施の形態では、ハウジング２の底部の左右に設けられる前後２つのナット１３はナットホルダ１９によって保持され、２つのナット１３が保持されたナットホルダ１９がハウジング２に挿入保持される。
【００３０】
上記ナットホルダ１９は、樹脂等の弾性変形可能な材料によって一体に構成されており、その長手方向両端には平面視コの字状を成す保持部１９ａが形成されており、両保持部１９ａは直線状の連結部１９ｂによって互いに連結されている。ここで、ナットホルダ１９の各保持部１９ａの開口幅寸法は角状のナット１３の幅寸法よりも若干小さく設定されている。
【００３１】
而して、図６に示すように、左右一対の各ナットホルダ１９の２つの保持部１９ａにはナット１３が矢印方向に差し込まれて保持される。ここで、前述のようにナットホルダ１９の各保持部１９ａの開口幅寸法は角状のナット１３の幅寸法よりも若干小さく設定されているため、保持部１９ａを弾性変形させながらナット１３を保持部１９ａに嵌め込むことによって該ナット１３に予圧を与えることができ、これによってナット１３がナットホルダ１９の保持部１９ａに強固に保持されることとなり、その脱落が確実に防がれる。尚、ナットホルダ１９の保持部１９ａの内面にナット１３の挿入方向に沿う突起を形成することによっても、ナット１３に与圧を与えた状態でこれを確実に保持することができる。
【００３２】
上述のように、左右の各ナットホルダ１９の保持部１９ａにナット１３を保持した状態で、図６〜図８に示すように、各ナットホルダ１９をハウジング２の底部に組み込む。即ち、ナット１３が保持された各ナットホルダ１９の保持部１９ａをハウジング２の底部に形成されたナット室１７に矢印方向に挿入すると同時に、ナットホルダ１９の連結部１９ｂをハウジング２の縦リブ１８に形成された嵌合溝１８ａ（図６参照）に嵌合させることによって、各ナットホルダ１９をナット１３と共にハウジング２の底部の左右両端に組み込むことができる。
【００３３】
次に、ハウジング２の底部に図７及び図８に示す前記クランクケース１１が組み込まれ、このクランクケース１１は、その四隅に形成された挿通孔２０に挿通する不図示のねじによってハウジング２の底部に取り付けられるが、このとき、該クランクケース１１の４つの面ａが左右のナットホルダ１９の保持部１９ａの面ｂに当接するため、ナットホルダ１９及びこれに保持されたナット１３のハウジング２からの脱落が確実に防がれる。
【００３４】
上述のようにハウジング２の底部の左右にナットホルダ１９が組み込まれると、図３〜図５に示すように、ハウジング２の底面にボトムカバー１２を被せ、該ボトムカバー１２の四隅に形成された各凹部１２ａに下方から挿通するねじ１４を各ナット１３にねじ込むことによってボトムカバー１２をハウジング２の底面に取り付けることができる。
【００３５】
次に、以上のように構成された刈込機１の動作について説明する。
【００３６】
トリガスイッチ５をＯＮしてバッテリ４から不図示のモータに給電がなされると、該モータが起動され、その出力軸の回転が不図示の減速ギヤによって減速されてクランクカム１０に伝達され、該クランクカム１０が回転駆動される。すると、このクランクカム１０の回転は、該クランクカム１０の上下の偏心カムにそれぞれ長孔係合する上ブレード６と下ブレード７の往復運動に変換される。
【００３７】
ここで、クランクカム１０の上下の偏心カムは、前述のように回転中心に対して１８０°の位相差をもって形成されているため、上ブレード６と下ブレード７は互いに逆方向に交互に往復運動し、これらの幅方向両端縁に長手方向に沿って形成された複数の切刃によって草や木の枝が刈り込まれる。
【００３８】
以上において、本発明に係る実施の形態では、ナット１３を保持する保持部１９ａが形成されたナットホルダ１９を設け、該ナットホルダ１９の保持部１９ａにナット１３を保持した状態で該ナットホルダ１９をハウジング２に組み込むようにしたため、ブレードユニット３の上ブレード６と下ブレード７の交換等のメンテナンスのためにボトムカバー１２を取り外す場合において、ねじ１４を緩めて取り外してもナット１３はナットホルダ１９に保持されたままである。このため、ナット１３がハウジング２から抜け落ちることがなく、これによって刈込機１の組立性が高められるとともに、ナット１３を紛失する等の不具合の発生が防がれる。
【００３９】
又、本実施の形態では、ナットホルダ１９に保持部１９ａを各２つ形成して２つのナット１３を１つのナットホルダ１９によって保持するようにしたため、複数のナット１３をハウジング２に挿入する手間を省くことができ、これによっても刈込機１の組立性が更に高められる。
【００４０】
更に、本実施の形態では、ナットホルダ１９を樹脂等の弾性変形可能な材料で構成したため、該ナットホルダ１９の保持部１９ａの開口幅をナット１３の幅よりも小さくし、保持部１９ａを弾性変形させながらナット１３を保持部１９ａに嵌め込むことによって該ナット１３に予圧を与えることができ、ナットホルダ１９にナット１３を強固に保持してその脱落を確実に防ぐことができる。
【００４１】
又、本実施の形態では、ナットホルダ１９の保持部１９ａ以外の連結部１９ｂをハウジング２の縦リブ１８に形成された嵌合溝１８ａに嵌合させる構成を採用したため、ねじ１４の締付力の影響がナットホルダ１９に及ばず、ナットホルダ１９がハウジング２に確実に保持され、該ナットホルダ１９及びこれに保持されたナット１３のハウジング２からの脱落が確実に防がれる。
【００４２】
そして、本実施の形態では、ハウジング２に挿入保持されたナットホルダ１９にクランクケース１１を当接させて該ナットホルダ１９をハウジング２に固定するようにしたため、ナットホルダ１９がハウジング２に確実に保持され、該ナットホルダ１９及びこれに保持されたナット１３のハウジング２からの脱落が一層確実に防がれる。
【００４３】
その他、本実施の形態では、ハウジング２を左右２分割構造としたため、刈込機１の組立性が高められるという効果も得られる。
【００４４】
尚、以上は本発明を往復直線運動する上下のブレードを備えた刈込機に対して適用した形態について説明したが、本発明は、支点を中心として交互に逆方向に揺動するバリカン型のブレードを備えた刈込機に対しても同様に適用可能であることは勿論である。
【図面の簡単な説明】
【００４５】
【図１】本発明に係る刈込機の破断側面図である。
【図２】本発明に係る刈込機のハウジング部の破断底面図である。
【図３】本発明に係る刈込機のハウジング部の破断正面図である。
【図４】図３のＡ−Ａ線断面図である。
【図５】図４のＢ−Ｂ線断面図である。
【図６】本発明に係る刈込機においてナットを保持したナットホルダのハウジングへの組込要領を示す部分斜視図である。
【図７】本発明に係る刈込機におけるナットとナットホルダ及びクランクケースのハウジングへの組込方向を示す底面図である。
【図８】本発明に係る刈込機におけるナットとナットホルダ及びクランクケースのハウジングへの組込方向を示す破断正面図である。
【図９】従来の刈込機のハウジングの破断正面図である。
【図１０】図９のＣ−Ｃ線断面図である。
【図１１】従来の刈込機におけるハウジング底部へのナットの挿入要領を示すハウジングの破断正面図である。
【図１２】従来の刈込機におけるハウジング底部へのナットの挿入要領を示すハウジングの部分底面図である。
【符号の説明】
【００４６】
１          刈込機
２          ハウジング
２Ａ，２Ｂ  ハウジングの分割片
２ａ        ハウジングのハンドル部
３          ブレードユニット
４          バッテリ
５          トリガスイッチ
６          上ブレード
７          下ブレード
８          ホルダプレート
９          ブレードホルダ
１０        クランクカム
１１        クランクケース
１２        ボトムカバー
１２ａ      ボトムカバーの凹部
１３        ナット
１４        ねじ
１５        ハウジングのフランジ
１６        溝
１７        ナット室
１８        ハウジングの縦リブ
１８ａ      縦リブの嵌合溝
１９        ナットホルダ
１９ａ      ナットホルダの保持部
１９ｂ      ナットホルダの連結部
２０        クランクケースの挿通孔
【図１】
0004946929.tif 000002
【図２】
0004946929.tif 000003
【図３】
0004946929.tif 000004
【図４】
0004946929.tif 000005
【図５】
0004946929.tif 000006
【図６】
0004946929.tif 000007
【図７】
0004946929.tif 000008
【図８】
0004946929.tif 000009
【図９】
0004946929.tif 000010
【図１０】
0004946929.tif 000011
【図１１】
0004946929.tif 000012
【図１２】
0004946929.tif 000013